(57)【要約】【課題】リアプラテンと可動プラテンの固定プラテンとの相対的な位置を精度良く調整でき、可動プラテン及びリアプラテンの直進性を向上することが可能なプラテン調整機構を有する射出成形機の型締装置を提供すること。【解決手段】機台１４の上面にリアプラテン側レール１１と可動プラテン側レール１３各々の両端の両側面にブラケット１６，１９が配置される。ブラケット１６，１９はねじ穴を有し、調整用ボルト１５，１８を締めることで調整用ボルト１５がリアプラテン側レール１１，可動プラテン側レール１３側に突き出され、リアプラテン側レール１１，可動プラテン側１３を押すことができる。平行に設置されたリアプラテン側レール１１と可動プラテン側レール１３の各々の向きを微調整することで、リアプラテン２と可動プラテン３の芯を精度よく合わせることができる。【選択図】図３
2015071278.tif 000002
【特許請求の範囲】
【請求項１】
機台と、リアプラテンと、可動プラテンと、前記可動プラテンを案内する１対の可動プラテン用リニアガイドと、前記可動プラテン用リニアガイドとは別の、前記リアプラテンを案内する１対のリアプラテン用リニアガイドと、を備える射出成形機の型締装置において、
前記可動プラテン用リニアガイドの前記機台の上面に配置されたレールの、前記機台の上面に平行な方向の位置を調整する可動プラテン用リニアガイド調整機構と、
前記リアプラテン用リニアガイドの前記機台の上面に配置されたレールの、前記機台の上面に平行な方向の位置を調整するリアプラテン用リニアガイド調整機構と、
の少なくとも一方を有することを特徴とする射出成形機の型締装置。
【発明の詳細な説明】
【技術分野】
【０００１】
本発明は、射出成形機において、型締装置の可動プラテンとリアプラテンをリニアガイド装置によって案内する型締装置に関する。
【背景技術】
【０００２】
金型を閉じて型締力を発生させる際、可動プラテンはタイバーに沿って固定プラテン側に動き、リアプラテンは、トグル機構が伸張することによって生じるタイバーの伸びに応じて、固定プラテンと反対側に動く。このとき、可動プラテンやリアプラテンにタイバーと垂直な方向へのずれが発生すると、金型の固定側と可動側との間に芯ずれが発生する。そのため、特に精密成形においては、固定プラテンに対する可動プラテンのずれと固定プラテンに対するリアプラテンのずれを抑える必要がある。
【０００３】
特許文献１では、可動プラテンとリアプラテンがボール式リニアガイドに案内されており、可動プラテンがリニアガイドのブロックもしくは偏心軸に固定されている。特許文献２では、可動プラテンとリアプラテンがリニアガイドで案内されており、リアプラテンとリニアガイドのブロックの間には連結部材が設けられてリアプラテンの中央位置に固定されている。また、特許文献３では、リアプラテンと可動プラテンを支えているリニアガイドの敷設部が横方向に撓み易くなるように形成されている。
【先行技術文献】
【特許文献】
【０００４】
【特許文献１】特開平９−２６２８８４号公報
【特許文献２】特開２００９−２６９３９３号公報
【特許文献３】特開２０００−２４６７７４号公報
【発明の概要】
【発明が解決しようとする課題】
【０００５】
トグルリンクの部品やプラテン等の寸法ばらつきにより、可動プラテンとリアプラテンの直進性は同一とは限らない。そのため、従来技術のように同一のリニアガイド上に可動プラテンとリアプラテンが設置されている場合、可動プラテンとリアプラテンの直進性が良くなく、型締精度に悪影響を及ぼすことがある。
【０００６】
特許文献１に開示された技術では、可動プラテン下に設けられた偏心軸は可動プラテンを上下方向に移動させて芯調整を行うためのものであるが、可動プラテンとリアプラテンが共通の１本のリニアガイドに設置されているため、高精度に調整できないことがある。  特許文献２に開示された技術では、リアプラテンで生じる変形の影響を抑え、ガイド装置の負担を軽減することが目的である。  
特許文献３に開示された技術では、リアプラテンと可動プラテンを異なるリニアガイドで支えている。しかし、リニアガイドの調整機構を有しておらず、可動プラテン及びリアプラテンの直進性を調整することはできない。
【０００７】
そこで、本発明の目的は、リニアガイドのレールの向きを調整する機構を設けることにより、リアプラテンと可動プラテンの固定プラテンとの相対的な位置を精度良く調整でき、可動プラテン及びリアプラテンの直進性を向上することが可能なプラテン調整機構を有する射出成形機の型締装置を提供することである。
【課題を解決するための手段】
【０００８】
本願の請求項１に係る発明は、機台と、リアプラテンと、可動プラテンと、前記可動プラテンを案内する１対の可動プラテン用リニアガイドと、前記可動プラテン用リニアガイドとは別の、前記リアプラテンを案内する１対のリアプラテン用リニアガイドと、を備える射出成形機の型締装置において、前記可動プラテン用リニアガイドの前記機台の上面に配置されたレールの、前記機台の上面に平行な方向の位置を調整する可動プラテン用リニアガイド調整機構と、前記リアプラテン用リニアガイドの前記機台の上面に配置されたレールの、前記機台の上面に平行な方向の位置を調整するリアプラテン用リニアガイド調整機構と、の少なくとも一方を有することを特徴とする射出成形機の型締装置である。
【発明の効果】
【０００９】
本発明により、可動プラテンとリアプラテンを別個のリニアガイド上に設置し、少なくとも一方のリニアガイドの位置を調整する機構を設けることで、トグルリンク等の型締装置の部品の寸法ばらつきを吸収するための調整が可能になり、可動プラテンとリアプラテンの直進性が向上する。
【図面の簡単な説明】
【００１０】
【図１】型開時における型締機構部の側面図である。
【図２】型締時における型締機構部の側面図である。
【図３】調整前のガイドの上面図である。
【図４】図３に示すＡ−Ａ線矢視図である。
【図５】調整後のガイドの上面図である。
【図６】図５に示すＡ−Ａ線矢視図である。
【発明を実施するための形態】
【００１１】
以下、本発明の実施形態を図面と共に説明する。  
図１は射出成形機の型締機構部を説明する図である。機台１４上に配置された型締機構部は、金型１のうち可動側金型１ａを取り付ける可動プラテン３、金型１のうち固定側金型１ｂを取り付ける固定プラテン４、リアプラテン２、タイバー５、トグル機構６、クロスヘッド９等を備える。
【００１２】
リアプラテン２と固定プラテン４とは複数本のタイバー５で連結されており、可動プラテン３はタイバー５にガイドされるように配置されている。ただし、可動プラテン３はタイバー５にガイドされていなくてもよい。リアプラテン２はリアプラテン側レール１１により案内されるリアプラテン側ガイドブロック１０に固定されており、可動プラテン３は可動プラテン側レール１３により案内される可動プラテン側ガイドブロック１２に固定されている。リアプラテン側レール１１と可動プラテン側レール１３はそれぞれ機台１４に固定されている。なお、リアプラテン側ガイドブロック１０とリアプラテン側レール１１とによりリアプラテン用リニアガイドが構成される。また、可動プラテン側ガイドブロック１２と可動プラテン側レール１３とにより可動プラテン用リニアガイドが構成される。
【００１３】
次に、型締時の型締機構部を図２にて説明する。図示しないサーボモータによって駆動されるボールねじ軸８に取り付けられたクロスヘッド９を進退させることによって、トグル機構６が作動する。クロスヘッド９を固定プラテン側に前進させると、可動プラテン３が前進させられて型閉じが行われる。図示しないサーボモータによる推進力にトグル倍率を乗じた型締力が発生させられ、その型締力によって型締が行われる。この時、タイバー５は、型締の際に型締力に対応して引張力が加わり、型締力に比例してわずかであるが伸長する。タイバー５はリアプラテン２に固定されているため、タイバーの伸長によって、リアプラテン２は湾曲しリアプラテン側ガイドブロック１０は固定側と逆向きに動く。
【００１４】
型締状態で金型１への樹脂の射出が終了したら、型開きが行われる。ボールねじ軸８が型締時とは逆方向に回転させられる。それに伴い、クロスヘッド９が後退し、トグル機構６が屈曲する方向に作動し、可動プラテン３がリアプラテン２の方向に後退する。タイバーの伸長は解消され、リアプラテン２の変形もなくなり、リアプラテン側ガイドブロック１０は元の位置まで動く。
【００１５】
以上の成形サイクルの中で、リアプラテン側ガイドブロック１０とそれに固定されたリアプラテン２はリアプラテン側レール１１上を往復することとなる。リアプラテン２と可動プラテン３が芯ずれしないように、リアプラテン側レール１１及び可動プラテン側レール１３が固定される必要がある。
【００１６】
リアプラテン側レール１１と可動プラテン側レール１３が一直線に配置される必要はなく、平行であればよい。ただし、調整した結果、平行でなくなる場合もある。平行に設置されたリアプラテン側レール１１と可動プラテン側レール１３各々の向きを微調整することで、リアプラテン２と可動プラテン３の芯を精度良く合わせることができる。
【００１７】
例として図３にレール（リアプラテン側レール１１，可動プラテン側レール１３）の両端をねじで押して水平方向に位置を調整する機構を示す。リアプラテン側レール１１と可動プラテン側レール１３各々の両端の両側面にブラケット１６が配置され、機台１４に固定されている。ブラケット１６はねじ穴を有し、調整用ボルト１５を締めることで調整用ボルト１５がレール側に突き出され、レールを押すことができる。図５では、リアプラテン側レール１１の右上の調整用ボルト１５ｂと可動プラテン側レール１３の左上の調整用ボルト１８ａを締めることで、リアプラテン側レール１１と可動プラテン側レール１３を異なる向きに回転させている。このようにレールの両端の位置（機台１４の上面に平行な方向の位置）を変えることにより、向きも変えることが可能である。
【００１８】
図４に示されるように、リアプラテン側レール１１と可動プラテン側レール１３はそれぞれガイド用ボルト１７，２０により固定されているが、リアプラテン側レール１１とガイド用ボルト１７との間に隙間がある。その隙間の範囲内ならば、図６のように、調整用ボルト１５により押すことでレールの微調整が可能である。また、リアプラテン側レール１１の位置を調整するリアプラテン用リニアガイド調整機構のみを設けてもよいし、可動プラテン側レール１３の位置を調整する可動プラテン用リニアガイド調整機構のみを設けてもよいし、図３〜図６の例のようにその両方を設けてもよい。
【００１９】
リアプラテン側ガイドブロック１０及び可動プラテン側ガイドブロック１２は複数設けてもよい。さらに、リアプラテン側ガイドブロック１０とリアプラテン２の間に連結ブロック（図示せず）を設けてもよい。同様に可動プラテン側ガイドブロック１２と可動プラテン３の間に連結ブロック（図示せず）を設けてもよい。また、ガイドとレールの案内方法はローラ式やボール式等があるため、リアプラテン側ガイドブロック１０及び可動プラテン側ガイドブロック１２それぞれが必要とする精度に合わせて最適な型式のリニアガイドを選定すればよい。
【符号の説明】
【００２０】
１  金型
１ａ  可動側金型
１ｂ  固定側金型
２  リアプラテン
３  可動プラテン
４  固定プラテン
５  タイバー
６  トグル機構
７  タイバー固定ナット
８  ボールねじ軸
９  クロスヘッド
１０  リアプラテン側ガイドブロック
１１  リアプラテン側レール
１２  可動プラテン側ガイドブロック
１３  可動プラテン側レール
１４  機台
１５，１５ａ，１５ｂ，１５ｃ，１５ｄ  調整用ボルト
１６，１６ａ，１６ｂ，１６ｃ，１６ｄ  ブラケット
１７  ガイド用ボルト
１８，１８ａ，１８ｂ，１８ｃ，１８ｄ  調整用ボルト
１９，１９ａ，１９ｂ，１９ｃ，１９ｄ  ブラケット
２０  ガイド用ボルト
【図１】
2015071278.tif 000003
【図２】
2015071278.tif 000004
【図３】
2015071278.tif 000005
【図４】
2015071278.tif 000006
【図５】
2015071278.tif 000007
【図６】
2015071278.tif 000008
【手続補正書】
【提出日】平成27年1月15日(2015.1.15)
【手続補正１】
【補正対象書類名】明細書
【補正対象項目名】０００８
【補正方法】変更
【補正の内容】
【０００８】
本願の請求項１に係る発明は、機台と、リアプラテンと、可動プラテンと、前記可動プラテンを案内する１対の可動プラテン用リニアガイドと、前記可動プラテン用リニアガイドとは別の、前記リアプラテンを案内する１対のリアプラテン用リニアガイドと、を備える射出成形機の型締装置において、前記可動プラテン用リニアガイドの前記機台の上面に配置されたレールの、前記機台の上面に平行な方向の位置と向きを調整する可動プラテン用リニアガイド調整機構と、前記リアプラテン用リニアガイドの前記機台の上面に配置されたレールの、前記機台の上面に平行な方向の位置と向きを調整するリアプラテン用リニアガイド調整機構と、の少なくとも一方を有することを特徴とする射出成形機の型締装置である。
【手続補正２】
【補正対象書類名】明細書
【補正対象項目名】０００９
【補正方法】変更
【補正の内容】
【０００９】
本発明により、可動プラテンとリアプラテンを別個のリニアガイド上に設置し、少なくとも一方のリニアガイドの位置と向きを調整する機構を設けることで、トグルリンク等の型締装置の部品の寸法ばらつきを吸収するための調整が可能になり、可動プラテンとリアプラテンの直進性が向上する。
【手続補正３】
【補正対象書類名】特許請求の範囲
【補正対象項目名】全文
【補正方法】変更
【補正の内容】
【特許請求の範囲】
【請求項１】
機台と、リアプラテンと、可動プラテンと、前記可動プラテンを案内する１対の可動プラテン用リニアガイドと、前記可動プラテン用リニアガイドとは別の、前記リアプラテンを案内する１対のリアプラテン用リニアガイドと、を備える射出成形機の型締装置において、
前記可動プラテン用リニアガイドの前記機台の上面に配置されたレールの、前記機台の上面に平行な方向の位置と向きを調整する可動プラテン用リニアガイド調整機構と、
前記リアプラテン用リニアガイドの前記機台の上面に配置されたレールの、前記機台の上面に平行な方向の位置と向きを調整するリアプラテン用リニアガイド調整機構と、
の少なくとも一方を有することを特徴とする射出成形機の型締装置。